(57)【要約】【課題】本体部材に対する蓋部材のズレを確実に防止して高性能の回転性能を得ることができる魚釣用リールを提供すること。【解決手段】リール本体の側枠１４ａと側板１６ａとで巻取り駆動機構２２を収容するギヤボックスＧを形成し、巻取り駆動機構２２に連結されるハンドル３４の回転操作で釣糸をスプール２０に巻回可能とした魚釣用リールであって、側枠１４ａと側板１６ａとの互いに対向する接合面の一方に形成した丸ピンの凸部５０ａと他方に形成した長穴の長凹部５０ｂとで第１合わせ部５０を形成し、側枠１４ａと側板１６ａとの互いに対向する接合面の一方に形成した丸ピンの凸部５２ａと他方に形成した丸穴の短凹部５２ｂとで第２合わせ部５２を形成し、これらの第１，第２合わせ部５０，５２とそれぞれ周方向に近接した位置に、ネジを取付ける挿通孔４７ａ，４７ｂおよびネジ孔４８ａ，４８ｂを配置した魚釣用リール１０。【選択図】      図４
2010104276.tif 000002
【特許請求の範囲】
【請求項１】
本体部材と蓋部材とで巻取り駆動機構を収容するギヤボックスを形成し、巻取り駆動機構に連結されるハンドルの回転操作で釣糸をスプールに巻回可能とした魚釣用リールであって、
前記本体部材と蓋部材との互いに対向する接合面の一方に形成した丸ピンの凸部と他方に形成した長穴の長凹部とで回り止め基準となる第１合わせ部を形成し、前記本体部材と蓋部材との互いに対向する接合面の一方に形成した丸ピンの凸部と他方に形成した丸穴の短凹部とで位置決め基準となる第２合わせ部を形成し、これらの第１，第２合わせ部とそれぞれ周方向に近接した位置に、ネジを取付ける第１，第２締付部を配置した魚釣用リール。
【請求項２】
前記本体部材と蓋部材とは、互いに異なる平面内に配置される第１，第２接合部を有し、前記第１，第２合わせ部と第１，第２締付部とが配置される接合面は、第１，第２接合部の一方に配置される請求項１に記載の魚釣用リール。
【請求項３】
前記長穴は、長軸に沿って均等な幅に形成された平行部を有し、この長穴の長軸の延長線上に前記丸穴が配置される請求項３に記載の魚釣用リール。
【発明の詳細な説明】
【技術分野】
【０００１】
本発明は、魚釣用リールに関し、特に、本体部材と蓋部材とで巻取り駆動機構を収容するギヤボックスを形成した魚釣用リールに関する。
【背景技術】
【０００２】
一般に、魚釣用リールは、本体部材と蓋部材とで巻取り駆動機構を収容するギヤボックスを形成し、この巻取り駆動機構に連結されるハンドルの回転操作で釣糸をスプールに巻回するようになっている。これらの本体部材と蓋部材は、金型成形や切削加工等の適宜の方法で所定の形状や寸法に形成され、組立て部品として完成される。
【０００３】
巻取り駆動機構の駆動軸は、このような本体部材と蓋部材とで回転自在に支持され、スプール又はロータを回転駆動するピニオンに噛合する駆動歯車が、これらの本体部材と蓋部材との間のギヤボックス内に配置された部位に設けられ、巻取り駆動するハンドルがギヤボックスの外側に配置された部位に装着されている。
【０００４】
このような駆動歯車を回転駆動する駆動軸を、ギヤボックス内で傾きやガタ付きのない状態に組込み、支持するため、本体部材であるフレームに配置した２つの位置決めピンを、蓋部材であるサイドプレートに形成した位置決め穴に嵌合して、双方の部材を高精度で組込むことができるようにしたものがある（例えば特許文献１参照）。
【特許文献１】特開２００１−１４５４４２
【発明の開示】
【発明が解決しようとする課題】
【０００５】
しかし、本体部材と蓋部材とに形成されて組込みの際の位置決めを行う位置決めピンと位置決め穴との双方は、本体部材と蓋部材との２つの部材を締付固定するネジ部材の螺合位置から離間した位置に設けられているため、ネジの締付時やハンドルを回転する巻取り操作時に２つの部材を相互に捩り又はこじるように作用する負荷が加わると、本体部材に対する蓋部材のズレあるいは移動が生じ易い。
【０００６】
また、位置決めピンおよび位置決め穴、両部材のネジ止め部、および、本体部材と蓋部材との間の合わせ面等が、それぞれ異なる高さあるいは平面内に配置されているため、本体部材に蓋部材を締付け、固定する際に撓みが生じ易い。
【０００７】
更に、２つの位置決めピンに嵌合する２つの位置決め穴の双方の断面形状が円形であるため、一方の位置決め穴の寸法を、対応する位置決めピンよりも大きな寸法に形成し、位置決めしつつ組み込む際に、一方の位置決め穴で、位置決めピンの逃げを可能とする必要があり、この結果、本体部材と蓋部材との間にズレが生じ易い。
【０００８】
本発明は、このような事情に基づいてなされたもので、本体部材に対する蓋部材のズレを確実に防止して高性能の回転性能を得ることができる魚釣用リールを提供することを目的とする。
【課題を解決するための手段】
【０００９】
上記目的を達成するため、本発明によると、本体部材と蓋部材とで巻取り駆動機構を収容するギヤボックスを形成し、巻取り駆動機構に連結されるハンドルの回転操作で釣糸をスプールに巻回可能とした魚釣用リールであって、前記本体部材と蓋部材との互いに対向する接合面の一方に形成した丸ピンの凸部と他方に形成した長穴の長凹部とで回り止め基準となる第１合わせ部を形成し、前記本体部材と蓋部材との互いに対向する接合面の一方に形成した丸ピンの凸部と他方に形成した丸穴の短凹部とで位置決め基準となる第２合わせ部を形成し、これらの第１，第２合わせ部とそれぞれ周方向に近接した位置に、ネジを取付ける第１，第２締付部を配置した魚釣用リールが提供される。
【００１０】
前記本体部材と蓋部材とは、互いに異なる平面内に配置される第１，第２接合部を有し、前記第１，第２合わせ部と第１，第２締付部とが配置される接合面は、第１，第２接合部の一方に配置されることが好ましい。
【００１１】
前記長穴は、長軸に沿って均等な幅に形成された平行部を有し、この長穴の長軸の延長線上に前記丸穴が配置されることが好ましい。
【発明の効果】
【００１２】
この魚釣用リールによると、組込む際の回り止めおよび位置決め基準となる第１，第２合わせ部により、蓋部材と本体部材とをガタ付きなく位置決めができて本体部材に対する蓋部材のズレを防止することができ、これらの第１，第２合わせ部とそれぞれ周方向に近接した位置に、ネジを取付ける第１，第２締付部を配置することにより、ネジの締付力をそれぞれの合わせ部に集約させることで、ネジ締付部を中心として合わせ部に作用するトルクを小さくすることができ、本体部材に対する蓋部材のズレを確実に防止し、高性能の回転性能を得ることができる。
【００１３】
互いに異なる平面内に配置される第１，第２接合部の一方に、第１，第２合わせ部と第１，第２締付部とが配置される接合面が位置する場合には、複数のネジの締付力が同一の平面内で作用し、本体部材と蓋部材との撓みの発生を防止することができる。
【００１４】
長穴が長軸に沿って均等な幅に形成された平行部を有し、この長穴の長軸の延長線上に前記丸穴が配置される場合には、合わせ部の配置位置が変化しても、丸穴と長穴との相対位置に係わりなく、第１，第２合わせ部を介して、本体部材に蓋部材をガタ付きを生じさせることなく、確実に組み込むことができる。
【発明を実施するための最良の形態】
【００１５】
図１から図４は、本発明の好ましい実施形態による魚釣用リール１０を示す。
【００１６】
この魚釣用リール１０は両軸受リールとして形成してある。この魚釣用リール１０のリール本体１２は、支柱１３等で一体化される左右一対の側枠１４ａ，１４ｂで形成されるフレーム１４を本体部材として有し、この側枠１４ａ，１４ｂのそれぞれの外側に、蓋部材である外側板１６ａ，１６ｂを取付けて、ハウジングとして形成され、取付脚部１８を介して釣竿に固定される。右側の蓋部材である右側板１６ｂは円形又は円筒状に形成してあり、左側の蓋部材である左側板１６ａは、図２に示すように、円筒状部の一部を径方向外方に膨出させた異形形状に形成してある。なお、本明細書中で、左右は、図１の紙面における左右をいう。
【００１７】
釣糸が巻回されるスプール２０は、左右の外側板１６ａ，１６ｂ間に回転自在に支持され、このスプール２０を回転駆動する巻取り駆動機構２２が、左側板１６ａと左側枠１４ａで区画されるギヤボックスＧの内部空間内に収容される。このギヤボックスＧの内部空間内には、この巻取り駆動機構２２の他にも、巻取り駆動機構２２に連動回転して側枠１４ａ，１４ｂ間に延びる図示しないガイド軸で案内されつつ筒体２６上でラインガイド２６ａを左右に往復動し、スプール２０上に釣糸を均等に巻回するレベルワインド機構の動力伝達部や、ドラグ機構等の各種部材が収容される。
【００１８】
本実施形態のスプール２０は、このリール本体１２の側枠１４ａ，１４ｂを貫通するスプール軸２０ａで支えられており、このスプール軸２０ａは、両端部が、例えばボール軸受３０ａ，３０ｂを介してリール本体１２に回転自在に支持され、このスプール２０と共に回転する。このスプール軸２０ａの一端側から左側枠１４ａを通して突出する端部は、このスプール軸２０ａと一体で同軸状に配置されるピニオン軸３２ａとして形成してあり、このピニオン軸３２ａ上にハンドル３４で回転駆動されるピニオン３２が移動可能に支持されている。
【００１９】
このピニオン３２は、ピニオン軸３２ａを挿通する筒状構造を有し、左側枠１４ａおよび左側板１６ａで支えられた軸受（図示しない）により、リール本体１２に対して回転可能かつ軸方向に移動可能に支持されている。図示しないクラッチレバーを介してクラッチ機構をＯＮ／ＯＦＦ操作することにより、ピニオン３２は、スプール軸２０ａに嵌合してスプール軸２０ａと一体的に回転する係合位置と、スプール軸２０ａとの係合状態が解除された非係合位置との間を、ピニオン軸３２ａに沿って移動することができる。
【００２０】
このピニオン３２の移動は、ピニオン３２の周溝３２ｂに係合するヨーク３６を、クラッチ機構のＯＮ／ＯＦＦ操作に連動させて、ピニオン軸３２ａに沿って移動することで行うことができ、スプール２０が自由に回転できるクラッチＯＦＦの状態で、ハンドル３４を回転すると、クラッチＯＮの状態に戻り、釣糸をスプール２０に巻き取ることができる。なお、本実施形態では、左側板１６ａに配置した調節ネジ１７を介してピニオン軸３２ａを押圧し、スプール軸２０ａに作用する摩擦力を調整することができる。
【００２１】
更に、ギヤボックスＧ内には、一端に締付けナット３３でハンドル３４を取付けたハンドル軸３４ａがピニオン軸３２ａと平行に配置されており、このハンド３４を回転することにより、巻取り駆動機構２２を介してスプール２０が回転駆動される。締付ナット３３は、小ネジ等でハンドル３４に固定される回り止め３３ａにより、回り止めすることが好ましい。
【００２２】
このハンドル軸３４ａは、左側枠１４ａおよび左側板１６ａにそれぞれ軸受３５（左側枠１４ａ側のみを示す）で回転可能に支持されている。このハンドル軸３４ａをハンドル３４側で支える軸受は、左側板１６ａの略円筒状に突出する突出部３８内に設けてあり、この突出部３８内には、ハンドル軸３４ａの釣糸巻回方向への回転を許容し、逆方向の回転を阻止する一方向クラッチが配置されている。
【００２３】
なお、図４に示すように、ハンドル軸３４ａを支える軸受３５は、抜け止めプレート３５ａにより左側枠１４ａ内に保持し、ギヤボックスＧ内における種々の部材の組み立ておよび保守を容易にしてある。このような抜け止めプレート３５ａを、他の部材との干渉を避け、容易かつ迅速に取付可能とするため、左側枠１４ａに、抜け止めプレート３５ａの外形形状の少なくとも一部に係合する係止部１５を形成し、取付用の小ネジ３５ｂと共に回転するのを防止することが好ましい。本実施形態では、この係止部１５は抜け止めプレート３５ａの少なくとも一部を収容する凹部の側面で形成してあり、小ネジ３５ｂを左側枠１４ａに締付けたときに、回り止めプレート３５ａの縁部を係止する。２つの小ネジ３５ｂで固定する場合には、それぞれの小ネジ３５ｂの締付け方向で、共回りを阻止することが好ましい。
【００２４】
更に、ハンドル軸３４ａには、ドラグ機構と共に、巻取り駆動機構２２の一部を形成するドライブギヤ２２ａを回転可能に装着してあり、ハンドル軸３４ａでスタードラグ４０を回転することにより、ハンドル軸３４ａに対するドライブギヤ２２ａの摩擦結合力を変え、所望のドラグ力に調整することができる。これにより、ハンドル３４の回転操作による駆動力は、ドラグ機構を介してドライブギヤ２２ａに伝達され、このドライブギヤ２２ａからピニオンギヤ３２とスプール軸２０ａとを介してスプール２０に伝達される。魚が掛かったときに、釣糸放出方向にスプール２０を回転する力がドラグ力を超えると、ドライブギヤ２２ａがドラグ力に抗して回転し、スプール２０が釣糸繰出し方向に回転し、糸切れを防止する。
【００２５】
この魚釣用リール１０は、キャスティング操作や釣糸の巻取り操作性の向上を図るために、リール本体１２の外径をコンパクト化し、回転伝達効率を向上させるために、ドライブギヤ２２ａを大型化してある。
【００２６】
このため、ギヤボックスＧを形成する左側枠１４ａと左側板１６ａとの外周部は、スプール軸２０ａを囲む円筒状部４２に対して、ドライブギヤ２２ａを囲む部位を径方向外方に膨出させた異形の周壁からなる膨出部４４として形成し、この膨出部４４内にドライブギヤ２２ａの外周部を収容してある。
【００２７】
本実施形態では、円筒状部４２を左側板１６ａと一体の周壁４２ａで形成し、膨出部４４を左側枠１４ａと一体の周壁４４ａで形成してある。また、左側板１６ａには、膨出部４４に対応する周縁リブ４４ｂを形成し、左側枠１４ａには、円筒状部４２に対応する周縁リブ４２ｂを形成してある。左側板１６ａの周縁リブ４４ｂと周壁４２ａとは、左側枠１４ａ側の端面を段差状に形成し、左側枠１４ａの周壁４４ａと周縁リブ４２ｂとは、左側板１６ａ側に段差状の端面を接合面として形成する。これらの周壁４２ａ，４４ａの端面および周縁リブ４２ｂ，４４ｂの端面は、スプール軸２０ａに対して垂直な面内に配置することが好ましい。
【００２８】
このように、端面が段差状に形成される左側枠１４ａと左側板１６ａとの２つの部材間には、組立てたときに、膨出部４４を含む膨出側部位で、左側枠１４ａの周壁４４ａが左側板１６ａの周縁リブ４４ｂに臨む第１の接合部Ｔ１が形成され、更に、円筒状部側すなわち反膨出側部位で第２の接合部Ｔ２が形成される。具体的には、左側板１６ａの周縁リブ４４ｂの端面と左側枠１４ａの周壁４４ａの端面とを接合面として含む部位で第１の接合部Ｔ１が形成される。また、第２の接合部Ｔ２は、左側枠１４ａの周縁リブ４２ｂの端面と左側板１６ａの周壁４２ａの端面とで接合面が形成される。これらの第１および第２の接合部Ｔ１，Ｔ２は、スプール軸２０ａの軸方向に沿って段差状に形成される。本実施形態では、図４に示すように、第１の接合部Ｔ１よりも第２の接合部Ｔ２をより広い角度範囲にわたって形成してある。
【００２９】
このような段差状の端面配置による第１および第２の接合部Ｔ１，Ｔ２を形成する左側枠１４ａと左側板１６ａは、第２の接合部Ｔ２で、本実施形態では３本である複数のネジ４６で一体に締結固定してある。これらのネジ４６を取付けるため、図３および図４に示すように、左側板１６ａの円筒状部４２を形成する周壁４２ａの径方向に対向した部位に、第１，第２締付部である挿通孔４７ａ，４７ｂを形成し、更に、これらの間に第３締付部である挿通孔４７ｃを形成してある。また、左側枠１４ａの円筒状部を形成する周縁リブ４２ｂにも、挿通孔４７ａ，４７ｂ，４７ｃと共に締付部を形成するネジ孔４８ａ，４８ｂ，４８ｃを形成してあり、挿通孔４７ａ，４７ｂ，４７ｃに挿通したネジ４６をそれぞれネジ孔４８ａ，４８ｂ，４８ｃに螺合することができる。膨出部４４には、このような挿通孔やネジ孔は設けてない。
【００３０】
更に、図２の（Ｂ）および図４に示すように、左側板１６ａを左側枠１４ａに対して、特に円筒状部を正確に位置決めして迅速な組込みを可能とするため、円筒状部の接合面を形成する端面のほぼ径方向に対向し、かつ、第１締付部４７ａ，４８ａおよび第２締付部４７ｂ，４８ｂと周方向に近接した部位に、それぞれ組込み基準となる第１合わせ部５０および第２合わせ部５２を配置してある。本実施形態では、第２合わせ部５２は、本体部材に対する蓋部材の位置決め基準を形成し、第１合わせ部５０は、第２合わせ部を基点とする本体部材に対する蓋部材の回り止め基準を形成する。
【００３１】
本実施形態では、左側板１６ａに、例えば断面円形状の丸ピンである凸部５０ａ，５２ａで形成した凸状の第１，第２合わせ部を蓋部材側の組込み基準として配置してある。これらの凸部５０ａ，５２ａは周壁４２ａの端面からほぼ垂直に突出することが好ましく、左側板１６ａと一体に形成してあってもよく、又は、別体で形成した後、左側板１６ａの端面に植え込んで一体的に形成したものでもよい。
【００３２】
また、左側枠１４ａには、本体部材側の組込み基準である凹状の第１合わせ部として、凸部５０ａが嵌合する長穴である長凹部５０ｂを形成し、凹状の第２合わせ部として凸部５２ａが嵌合する丸穴である短凹部５２ｂ形成してある。この丸穴である短凹部５２ｂは、接合面すなわち周縁リブ４２ｂの端面に沿う断面が、凸部５２に対応した円形状に形成されており、長穴すなわち長凹部５０ｂは、この接合面に沿う断面が長円状に形成されている。丸穴すなわち短凹部５２ｂの中心は、長穴すなわち長凹部５０ｂの長軸の延長線Ｅ上に位置するのが好ましい。
【００３３】
長凹部５０ｂは、長軸方向の中央部位に、凸部５０ａの径とほぼ等しい一定幅の平行部５１を有し、この平行部５１の両端に半円形部が配置されている。この長凹部５０ｂの長軸方向の長さは、凸部５０ａの径よりも大きく、したがって、凸部５０ａは長凹部５０ｂ内で傾動し又は長軸方向に移動することができ、この長軸と直交する短軸方向には移動することができないように形成してある。これにより、凸部５０ａ，５２ａが長凹部５０ｂと短凹部５２ｂとに嵌合したときに、左側枠１４ａに対する左側板１６ａをガタ付きなく位置決めができて、ズレを防止することができる。
【００３４】
このような第１合わせ部５０を形成する凸部５０ａと長凹部５０ｂ、および、第２合わせ部５２を形成する凸部５２ａと短凹部５２ｂは、それぞれ第１締付部を形成する挿通孔４７ａとネジ孔４８ａ、および、第２締付部を形成する挿通孔４７ｂとネジ孔４８ｂとに近接した位置に配置される。この場合、ネジ孔４８ａの中心と長軸５０ｂの長軸との間、および、ネジ孔４８ｂの中心と短凹部５２ｂの中心との間の中心間距離が例えば１０ｍｍ以内となる位置に配置することが好ましい。
【００３５】
このように形成された魚釣用リール１０は、ギヤボックスＧ内に、巻取り駆動機構２２、ドラグ機構、レベルワインド機構等の種々の部材を組上げ、ピニオン軸３２ａおよびハンドル軸３４ａの位置をそれぞれの軸受部に整合させつつ、左側板１６ａを左側枠１４ａに装着する。
【００３６】
左側板１６ａをフレーム１４の左側枠１４ａに組み込む際、長凹部５０ｂが凸部５０ａの逃げを可能とするため、左側枠１４ａに対して左側板１６ａが非平行すなわち傾斜した状態で近づけた状態でも、互いに径方向に対向した位置の凸部５０ａ，５２ａを、それぞれ長凹部５０ｂと短凹部５２ｂとに極めて迅速かつ容易に位置合わせして嵌合することができる。しかも、長凹部５０ｂの長軸の延長線（短軸の中心を通る）Ｅ上に短凹部５２ｂの中心位置が配置されることにより、凸部５０ａおよび５２ａが長凹部５０ｂおよび短凹部５２ｂに嵌合した状態では、延長線Ｅの方向における相対移動が、第２合わせ部５２の位置決めとなる短凹部５２ｂに凸部５２ａが嵌合することで不能であると共に、この延長線Ｅに交差し、第２合わせ部５２を基点とする回動方向における相対移動も、第１合わせ部５０の長凹部５０ｂの短軸方向で凸部５０ａの移動が確実に阻止されて不能となる。これにより、第１，第２合わせ部５０，５２がどのような位置に配置されて、短凹部５２ｂと長凹部５０ａとの間の距離が短く又は長く形成された場合であっても、その相対位置に係わりなく、第１，第２合わせ部５０，５２を介して、フレーム１４の左側枠１４ａに左側板１６ａをガタ付きを生じさせることなく、確実に組み込むことができる。
【００３７】
この後、それぞれのネジ４６を左側板１６ａの挿通孔４７ａ，４７ｂ，４７ｃに挿通し、左側枠１４ａのネジ孔４８ａ，４８ｂ，４８ｃに締付け、固定する。反膨出側部位では、円筒状部４２を形成する周壁４２ａの端面と周部リブ４２ｂの端面とが密に当接して締付固定される。これにより、左側板１６ａが左側枠１４ａに対して高精度に位置決めされ、スプール軸２０ａとこれを支える軸受３０ａ、および、ハンドル軸３４ａとこれを支える軸受３５の高精度の同心度等を確保し、ギヤボックスＧ内に配置する種々の部材を正確に位置決めすることができる。
【００３８】
また、これらのネジ４６が、互いに異なる平面内に配置される膨出部４４側の第１の接合部Ｔ１と円筒状部４２側の第２の接合部Ｔ２のうちの第２の接合部Ｔ２を形成する接合面に、第１，第２合わせ部５０，５２と、第１締付部の挿通孔４７ａおよびネジ孔４８ａ、および，第２締付部の挿通孔７ｂおよびネジ孔４８ｂとが配置されることにより、複数のネジ４６の締付力が同一の平面内で作用し、左側枠１４ａと左側板１６ａとの撓みの発生を確実に防止することができる。
【００３９】
このように形成した魚釣用リール１０は、左側枠１４ａと左側板１６ａとで形成する巻取り駆動機構２２のギヤボックスＧの外周部にドライブギヤ２２ａの外周部を収容する膨出部を形成することにより、コンパクトでありながら大径のドライブギヤ２２ａを収容することができ、更に、第１および第２の接合部Ｔ１，Ｔ２のうち、円筒状部４２に形成される一方の第２の接合部Ｔ２側を締付固定する基準面として左側枠１４ａと左側板１６ａの端面とを密に複数のネジ４６により一体に締結固定することにより、他方の第１の接合部Ｔ１側の当接面における寸法のバラツキの影響を受けることなくリール本体１２を強固な一体構造に形成し、内部に収容する歯車の噛合い性能、耐久性の低下を確実に防止することのできる魚釣用リール１０を形成することができる。
【００４０】
特に、このような左側枠１４ａに対する左側板１６ａの高精度の位置決め固定は、一方の接合部Ｔ２側にネジ４６による締付力を集約して締付固定の基準面とすることにより、他方の接合部Ｔ１側の公差、製造誤差等の影響による精度低下（傾き、撓み等の変形）を防止できる。
【００４１】
また、ネジ４６で締付固定される第１締付部の挿通孔４７ａおよびネジ孔４８ａが、第１合わせ部５０に対して膨出部４４から離隔する側で周方向に近接した位置に配置され、第２締付部の挿通孔４７ｂおよびネジ孔４８ｂが、第２合わせ部５２に対して膨出部４４から離隔する側で周方向に近接した位置に配置されることにより、ネジ４６の締付力をそれぞれの合わせ部５０，５２に集約させることで、ネジ締付部を中心として合わせ部に作用するトルクを小さくすることができ、フレーム１４に対する左側板１６ａのズレを確実に防止し、駆動機構２２およびスプール２０の高性能の回転性能を得ることができる。
【００４２】
図５および図６は、他の実施形態による魚釣用リール１０を示す。なお、本実施形態も基本的には上述の実施形態と同様であるため、同様な部位には同様な符号を付し、その詳細な説明を省略する。た実施形態を示す。
【００４３】
本実施形態では、膨出部４４の周壁４４ａを左側板１６ａに形成してあり、反膨出側部位で、円筒状部４２は上述と同様に、左側板１６ａに形成した円筒状の周壁４２ａと左側枠１４ａに形成した周縁リブ４２との端面間で第２の接合部Ｔ２が形成される。また、第１の接合部Ｔ１は、左側板１６ａに形成した膨出部の周壁４４ａと左側枠１４ａに形成した周縁リブ４４ｂとの端面間で形成される。この左側枠１４ａの周縁リブ４４ｂは、円筒状部４２に隣接した部位にのみ、すなわち膨出部４４の両端部にのみ形成してあり、左側枠１４ａの外形は、側面視（スプール軸の方向）で円形状に形成される。
【００４４】
左側枠１４ａが円形状であるため、膨出部４４を形成する左側板１６ａの周壁４４ａは、左側枠１４ａ側に開口する開口部が形成される。この開口部は、左側枠１４ａの周縁リブ４４ｂ，４４ｂの内端（膨出部４４側の端部）間に配置した閉塞プレート５４で閉塞してある。この閉塞プレート５４は、例えば３本のネジ５６で左側枠１４ａに固定してあり、その外周縁部は周壁４４ａの内周面に当接し、又は、極めて僅かな間隙を介して対向配置することが好ましい。
【００４５】
この閉塞プレート５４は、ネジ５６で左側枠１４ａに固定したときに、左側板１６ａ側の面が左側枠１４ａの周縁リブ４４ｂの端面と同一面状に配置されることが好ましい。このため、膨出部を形成する左側板１６ａの周壁４４ａは、周縁リブ４４ｂに対応する部位から径方向外方に膨出を開始し、少なくとも周壁４４ａの内周が周縁リブ４４ｂの内端と整合する状態に形成されることが好ましい。
【００４６】
このように、左側枠１４ａを側面視で円形状に形成し、周壁４４ａが形成する膨出部４４の開口部を閉塞プレート５０で閉塞することにより、この左側枠１４ａに異形形状の膨出部を形成する必要がなく、左側枠１４ａを極めて高精度に形成することができる。
【００４７】
なお、上述のそれぞれの実施形態では、膨出部４４が、ドライブギヤ２２ａの周部を収容する大径の円弧状凸部と共に、これよりも小径の円弧状凸部をレベルワインド機構の筒体２６の前方に配置した非円形状の異形形状に形成してあるが、膨出部４４も円筒状部４２の径と等しい円筒状又は径の異なる円筒状に形成してもよいことは明らかである。
【００４８】
また、ギヤボックスＧを左側枠１４ａと左側板１６ａとで形成した実施形態を例に挙げて説明してあるが、このようなギヤボックスＧを右側枠１４ｂと右側板１６ｂとで形成した場合も同様である。
【００４９】
なお、上述の実施形態では、第１，第２締付部と近接した部位に第１，第２合わせ部５０，５２を配置したが、一方の合わせ部を第３締付部の挿通孔４７ｃおよびネジ孔４８ｃに近接した部位に配置することも可能である。また、２つの部材間のガタ付きのない位置合わせが必要な部位であれば、上述のような両軸受リールに限らず、スピニングリールに設けることも可能なことは明らかである。
【図面の簡単な説明】
【００５０】
【図１】本発明の好ましい実施形態による魚釣用リールを示す説明図。
【図２】図１に示す魚釣用リールをハンドル側から見た状態を示し、（Ａ）は３つの締付部を示す説明図、（Ｂ）は締付部と合わせ部との配置状態を示す説明図。
【図３】左側枠から左側板を分離した状態の説明図。
【図４】左側枠と左側板とを示し、(Ａ）は図３のＡ−Ａ線方向の図、（Ｂ）は図３のＢ−Ｂ線方向の図。
【図５】他の実施形態による魚釣用リールの図１と同様な説明図。
【図６】図５に示す魚釣用リールの左側枠の説明図。
【符号の説明】
【００５１】
１０…魚釣用リール、１４…フレーム（本体部材）、１６ａ，１６ｂ…側板（蓋部材）、２０…スプール、２２…巻取り駆動機構、３４…ハンドル、４６…ネジ、４７ａ，４７ｂ…挿通孔（締付部）、４８ａ，４８ｂ…ネジ孔（締付部）、５０ａ，５２ａ…凸部（合わせ部）、５０ｂ，５２ｂ…凹部（合わせ部）。
【図１】
2010104276.tif 000003
【図２】
2010104276.tif 000004
【図３】
2010104276.tif 000005
【図４】
2010104276.tif 000006
【図５】
2010104276.tif 000007
【図６】
2010104276.tif 000008